(57)【特許請求の範囲】
【請求項１】
ファスナーチェン１を開離または閉鎖可能で、胴体９の上面、前面、下面に連続して突出するＵ字状ガイド杆１０を備えた引手廻動式スライダー６であって、Ｕ字状ガイド杆１０は連続する断面Ｔ字形の引手ガイド部１１を有し、該引手ガイド部１１の前面内縁に弧状面または傾斜面から形成した上止具４用のガイド面１２を設けてなることを特徴とするスライドファスナー用スライダー。
【発明の詳細な説明】
【０００１】
【発明の属する技術分野】
この発明は、スライドファスナーにおいて、スライダーの引手が胴体の上面、前面、下面と廻動できる引手廻動式スライダーに関するものである。
【０００２】
【従来の技術】
従来知られたスライドファスナーにおける引手廻動式スライダーは、胴体の上面、前面、下面とを廻動するための引手をガイドする胴体に巡らすＵ字状のガイド杆が、断面Ｔ字形に形成され、引手をガイドするＴ字形のガイド部は隅角内面が直角を呈している。たとえば図１２に示すように実公昭３８−７９３４号公報に開示された引手廻動式スライダーは、胴体に巡らしたＵ字状ガイド杆の隅角内面を直角状に形成し、引手先端両側に設けた内向の取付片を嵌装した引手廻動式のスライダーである。
【０００３】
このように形成された引手廻動式スライダーを挿通したファスナーチェンに装着する上止具は、特別な形態の上止具ではなく通常に用いられている熱可塑製樹脂製の長方体、あるいは金属製の断面Ｕ字状の上止具であり、特に引手廻動式スライダーのＵ字状ガイド杆に対応する上止具ではなかった。
【０００４】
【発明が解決しようとする課題】
この発明のスライドファスナーは、図２に示すようにアノラックなどのウエアの前ポケットの口縁に取り付けてリバーシブルに用いるスライドファスナーであり、ポケットを裏返しにしてウエアをポケットに収納するのに便利なスライドファスナーである。従ってスライドファスナーをポケットの口縁に取り付けてリバーシブルに使用する場合、ファスナーチェンの上止具から前端のファスナーテープを多少クローズ状に取り付け、体裁のよいポケットを形成するため、たとえば図３に示すような状態で取り付ける。
【０００５】
この状態でスライドファスナーを開閉使用すると、前項で述べた引手廻動式スライダーと上止具であると、ファスナーチェンを閉鎖状態から開離状態に開口させるため、引手廻動式スライダーを開離操作すると、ファスナーチェンの上止具が引手廻動式スライダーのＵ字状ガイド杆の断面Ｔ字形のガイド部の内面に当接してスライダーの始動動作を難しくし、スムーズな開離操作ができない問題点がある。
【０００６】
この発明は、上述の問題点を考慮して発明されたものであり、この発明の請求項１記載の発明は、スライドファスナーの閉鎖時に、当接する状態にある引手廻動式スライダーのＵ字状ガイド杆と上止具とが、ファスナーチェンを開離させるべく引手廻動式スライダーを開離操作を行った際に、お互いが離れる方向へ摺接して案内され、開離操作をスムーズにスタートできるガイド部分を引手廻動式スライダーに具備したスライドファスナー用スライダーを提供することが主たる目的である。
【０００７】
【課題を解決するための手段】
前記の目的を達成するため、この発明の請求項１記載の発明は、スライドファスナーにおけるファスナーチエン１を開離または閉鎖することができ、スライダー胴体９の上面、前面、下面に連続して突出するＵ字状のガイド杆１０を備えた引手７が胴体９の上面、前面、下面を可動できるいわゆる引手廻動式スライダー６であって、Ｕ字状ガイド杆１０は一体に連続する断面Ｔ字形の引手ガイド部１１を形成し、ファスナーチエン１に取り付けた上止具４と当接する引手ガイド部１１の前面内縁に弧状面または傾斜面から形成した上止具４のためのガイド面１２を付設したスライドファスナー用スライダーを主な構成としている。
【０００８】
【発明の実施の形態】
以下、この発明のスライドファスナーの実施の形態について、図面を参照しながら具体的に説明する。
【０００９】
この発明のスライドファスナーは、図２に示すようにアノラックなどのウエアＡのポケットＢに用いるリバーシブルなスライドファスナーである。スライドファスナーはよく知られたスライドファスナーであり、たとえば図１に示すようにファスナーチェン１がファスナーテープ２の側縁にポリアセタール、ポリアミド、ポリプロピレン、ポリプチレンテレフタレートなどの熱可塑性樹脂を射出成形手段によって一体成形してファスナーエレメント３および上止具４、下止具５を成形してスライドファスナーを作製する。なおファスナーエレメントはジグザグタイプの合成樹脂製モノフィラメントの線条ファスナーエレメントでもよく、また単体の金属製であっても差し支えない。
【００１０】
一方知られたリバーシブルな引手廻動式スライダー６は、図４〜６に示すように上翼板１５と下翼板１６とを案内柱１７で連結した胴体９に、引手７を胴体９の上面、前面、下面と廻動できるように形成するため、全体がＵ字状を呈するＵ字状ガイド杆１０を、胴体９に取り付けるが、その際胴体９の上翼板１５と下翼板１６の後口側に立設した取付柱２２に対し、Ｕ字状ガイド杆１０が前後に少量移動できるように取付柱２２を包囲する形で取り付け、引手７の前後方向への引張り操作によってＵ字状ガイド杆１０を移動させる。
【００１１】
また胴体９の案内柱１７の前面には凹部２１を設けて停止杆２８のフック片３１を収納し、さらに案内柱１７の中間に挿入孔２４を横設してスプリング３３を嵌挿し、停止杆２８のフック片３１を押圧する。胴体９の上翼板１５の後口側に爪孔２３を穿設して停止杆２８の停止爪２９を嵌挿し、停止爪２９をファスナーエレメント３のガイド溝２０に進退可能に形成する。
【００１２】
なお引手廻動式スライダー６の胴体９およびＵ字状ガイド杆１０をアルミニウム合金、亜鉛合金などの金属を用いてダイキャスト成形によって別体に形成し、引手７は金属板をプレス加工によって作製した後、引手廻動式スライダー６を組み立てる。
【００１３】
Ｕ字状ガイド杆１０は、内面を断面Ｔ字形に形成し、たとえば図７に示すように胴体９の前面に配されるＵ字状ガイド杆１０の前片３９は、Ｔ字形の引手ガイド部１１の中央を内面へ突出させてカム２５を形成し、上片３７と下片３８の引手ガイド部１１の中央に凹溝１３をそれぞれ設け、上片３７の凹溝１３には胴体９に軸支した停止杆２８の上部を嵌入し、下片３８の凹溝１３には胴体９の下翼板１６の表面に突設した凸条１９を嵌入できるように形成する。
【００１４】
停止杆２８は全体が略長コ字状を呈し、一端に停止爪２９、他端に停止爪２９よりも長いフック片３１を平行状に設け、フック片３１の基部にピン孔３２を設けて胴体９へピン３４によって揺動自在に軸支する。フック片３１の上側に突片３０を突設し、この突片３０はＵ字状ガイド杆１０に設けた長孔２６に嵌挿して停止杆２８の前後への揺動を規制し、Ｕ字状ガイド杆１０が引手７によって前進したとき長孔２６の縁部で突片３０を押動させ、スプリング３３の弾力に抗して停止爪２９をガイド溝２０より浮上させ、引手廻動式スライダー６を閉鎖方向へ摺動させることができる。
【００１５】
また引手廻動式スライダー６を開離方向へ摺動させると、引手７の引張り操作によってＵ字状ガイド杆１０が後口側へ移動し、同時にカム２５によってフック片３１がスプリング３３を押圧し圧縮して停止爪２９をガイド溝２０より浮上させ引手廻動式スライダー６を摺動させることができる。以上が一般的な引手廻動式スライダーの作動態様である。
【００１６】
この発明のスライドファスナーの特徴は、スライドファスナーが図３に示すようなファスナーテープ２の先端がクローズする形態に配され使用する場合、引手廻動式スライダー６がファスナーチェン１の開離方向へスムーズに始動できるスタート機構を備えたところに特徴がある。従来のスライドファスナーであれば、図３の形態であると、ファスナーチェン１に装着した上止具４が引手廻動式スライダー６に配設したＵ字状ガイド杆１０における引手ガイド部１１の隅角に、上止具４の先端が当接して引手廻動式スライダー６の摺動を阻害し始動が困難である。
【００１７】
そこで、この発明の引手廻動式スライダー６のスタート機構についての第１実施例は、図５に示すように、胴体９に周設したＵ字状ガイド杆１０における上片３７と下片３８を除く前片３９の引手ガイド部１１の内側縁部を図７，９に示すように傾斜面を切欠して上止具用のガイド面１２を形成する。
【００１８】
Ｕ字状ガイド杆１０は、引手ガイド部１１を断面Ｔ字状に形成し、この引手ガイド部１１の内側縁部を傾斜面に形成してガイド面１２を設けるとともに、ガイド面１２の基端に、引手７に形成したＬ形の取付片８の先端と摺接する水平状の引手７を保持するための保持面１４を形成することによって、引手７を的確に保持するとともに、引手７をＵ字状ガイド杆１０から抜脱するのを未然に防ぐ。なお図７に示す傾斜面のガイド面１２を傾斜面でなく、図８に示す弧状面であってもよい。このガイド面１２は上片３７または下片３８の端部から前片３９の中央に向かって漸次拡張する形に形成する。
【００１９】
このガイド面１２を引手ガイド部１１に配設することによって、ファスナーチェン１に装着した上止具４が従来の形状であっても、たとえば図９に示すように引手ガイド部１１に矢印方向への力が働くと上止具４を引手ガイド部１１に設けたガイド面１２によって容易に左右へ拡開しガイドすることができ、従って引手廻動式スライダーのスムーズな始動ができる。なお引手廻動式スライダー６の閉鎖方向への引手７の引張り操作の支点は図に示したＰ点である。
【００２０】
スタート機構の第２実施例は、図１０に示すように胴体９に周設したＵ字状ガイド杆１０における前片３９の一部、たとえばファスナーチェン１に装着した上止具４が摺動接触する部分にのみに傾斜面あるいは弧状面を切欠してガイド面１２を形成しても引手廻動式スライダー６のスムーズな始動ができる。
【００２１】
スタート機構の第３実施例は、図１１に示すようにＵ字状ガイド杆１０の前片３９における引手ガイド部１１の内側縁部に傾斜面または弧状面を切欠して上止具４用のガイド面１２を形成し、かつまたファスナーチェン１に装着した上止具４における引手廻動式スライダー６のＵ字状ガイド杆１０の引手ガイド部１１が当接する隅角を弧状または斜状に切欠してＵ字状ガイド杆１０用のガイド部３５を形成し、このガイド面１２とガイド部３５の摺接によって引手廻動式スライダー６はスムーズに始動することができる。
【００２２】
以上説明したとおり、この発明のスライドファスナーは各種のスタート機構を備えているため、従来の使用態様は勿論であるが、図３に示すようにファスナーチェン１の端部がクロ−ズ気味の使用態様であっても、引手廻動式スライダー６をスムーズに始動させることができ、しかも簡単にリバーシブルなスライドファスナーに切り換えることができる。
【００２３】
【発明の効果】
この発明のスライドファスナーは、以上説明したとおりの構成であり、この構成によって下記の効果を奏する。
【００２４】
この発明の請求項１記載の発明は、ファスナーチエンを開離または閉鎖可能で、胴体の上面、前面、下面に連続して突出するＵ字状ガイド杆を備えた引手廻動式スライダーであって、Ｕ字状ガイド杆は連続する断面Ｔ字形の引手ガイド部を有し、引手ガイド部の前面内縁に弧状面または傾斜面から形成した上止具用のガイド面を設けたことによって、ファスナーチエンに挿通した引手廻動式スライダーを上止具の形状いかんを問わず、スライダーの始動動作がきわめてスムーズにでき、しかも開離操作が容易に行えるスライドファスナー用スライダーが得られる効果がある。
【図面の簡単な説明】
【図１】  スライドファスナーの正面図である。
【図２】  スライドファスナーを使用したウェアの正面図である。
【図３】  スライドファスナーの一使用態様を示す正面図である。
【図４】  引手廻動式スライダーの正面図である。
【図５】  同上引手廻動式スライダーの側面図である。
【図６】  同上引手廻動式スライダーの図４におけるＡ−Ａ線断面図である。
【図７】  Ｕ字状ガイド杆の前片の断面図である。
【図８】  Ｕ字状ガイド杆の前片の変形例を示す断面図である。
【図９】  Ｕ字状ガイド杆に配設したスタート機構を示す一部切欠した正面図である。
【図１０】  引手廻動式スライダーの変形例を示す側面図である。
【図１１】  Ｕ字状ガイド杆と上止具に配設したスタート機構を示す一部切欠した正面図である。
【図１２】  公知の引手廻動式スライダーの正面図である。
【符号の説明】
１            ファスナーチェン
４            上止具
６            引手廻動式スライダー
７            引手
８            取付片
９            胴体
１０            Ｕ字状ガイド杆
１１            引手ガイド部
１２            ガイド面（Ｕ字状ガイド杆）
１４            保持面
３５            ガイド面（上止具）
【図１】
0003733309.tif 000002
【図２】
0003733309.tif 000003
【図３】
0003733309.tif 000004
【図４】
0003733309.tif 000005
【図５】
0003733309.tif 000006
【図６】
0003733309.tif 000007
【図７】
0003733309.tif 000008
【図８】
0003733309.tif 000009
【図９】
0003733309.tif 000010
【図１０】
0003733309.tif 000011
【図１１】
0003733309.tif 000012
【図１２】
0003733309.tif 000013